(57)【要約】      （修正有）【課題】高感度の電波時計を提供する。【解決手段】電波時計は、風防３１と、風防３１がはめ込まれるケース３２、３８、３９と、ケース３２、３８、３９内に配置されるムーブメント５９と、ムーブメント５９と風防３１との間に配置されるアンテナ電極１０ａと、アンテナ電極１０ａと電気的に接続され、アンテナ電極１０ａからの信号を不平衡な信号に変換するバラン回路２１と、複数の誘電体３４、３６と、を含む。バラン回路２１は、ムーブメント５９と風防３１との間に配置され、複数の誘電体３４、３６の間に配置される。【選択図】図２
2018109533.tif 000002
【特許請求の範囲】
【請求項１】
風防と、
前記風防がはめ込まれるケースと、
前記ケース内に配置されるムーブメントと、
前記ムーブメントと前記風防との間に配置されるアンテナ電極と、
前記アンテナ電極と電気的に接続され、アンテナ電極からの信号を不平衡な信号に変換するバラン回路と、
複数の誘電体と、
を含み、
前記バラン回路は、前記ムーブメントと前記風防との間に配置され、前記複数の誘電体の間に配置される、
電波時計。
【請求項２】
請求項１に記載の電波時計において、
前記誘電体のうち１つは前記風防と前記ムーブメントの間に配置される見返しであり、
前記バラン回路は前記見返しに覆われる、
電波時計。
【請求項３】
請求項１または２に記載の電波時計において、
前記誘電体のうち１つは、前記バラン回路が前記バラン回路に対向する部材と接触することを防ぐ保護領域を含む、
電波時計。
【請求項４】
請求項３に記載の電波時計において、
前記保護領域は、前記誘電体のうち前記１つに設けられた切欠きであり、
前記バラン回路は、前記切欠きの内部に配置される、
電波時計。
【請求項５】
請求項３に記載の電波時計において、
前記保護領域は、前記誘電体のうち前記１つの表面のうち前記バラン回路の周囲に設けられた突起部である、
電波時計。
【請求項６】
請求項１から５のいずれかに記載の電波時計において、
前記誘電体のうち１つは、前記ムーブメントと前記風防の間に、平面視で前記ケースの内周面に沿って設けられる円環または円弧状の誘電部材である、
電波時計。
【請求項７】
請求項６に記載の電波時計において、
前記誘電部材は円弧状であり、
前記誘電体のうち１つは、バラン回路が取り付けられ、前記円弧状の誘電部材の端部の間にはめ込まれるブロックである、
電波時計。
【請求項８】
請求項６に記載の電波時計において、
前記誘電部材は径方向内側に切欠きを有し、
前記バラン回路は、前記切欠きの前記径方向内側に配置される、
電波時計。
【請求項９】
請求項６に記載の電波時計において、
前記誘電部材は円弧状であり、
前記円弧状の誘電部材の端部の間にはめ込まれる誘電体基板をさらに有し、
前記バラン回路は、前記誘電体基板の径方向内側の面に配置される、
電波時計。
【請求項１０】
請求項１から９のいずれかに記載の電波時計において、
前記ムーブメントと前記風防の間に設けられる文字板をさらに含み、
前記バラン回路は、前記文字板より前記風防に近い、
電波時計。
【発明の詳細な説明】
【技術分野】
【０００１】
本発明は、衛星等から信号を受信する電波時計に関する。
【背景技術】
【０００２】
ＧＰＳ（Global Positioning System）を構成する衛星等からの送信信号に含まれる時刻情報を受信して時刻を修正する携帯型の電波時計が実用に供されている。電波の受信のためのアンテナの種類および配置は、時計の機能を損なわずかつ必要な受信感度が得られるように決定されている。
【０００３】
特許文献１には、窓材の外周部の内面上にアンテナを形成し、アンテナとムーブメント内の回路基板とを導電ピンを介して導通することが開示されている。
【０００４】
特許文献２には、風防ガラスの底面に配置される電子デバイスと、電子デバイスと離間するプリント回路基板と、電子デバイスとプリント回路基板との電気的接続を得るためのフランジとを含む腕時計が開示されている。特に図２には、電子制御回路をフランジの裏側に配置することが開示されている。
【０００５】
特許文献３の図２には、セラミックスのダイヤルリングの中に、誘電体基材とアンテナ電極を含むＧＰＳアンテナを配置することが開示されている。
【０００６】
特許文献４の図８には、風防ガラスの外周縁の裏側に無給電素子４２３（アンテナ）を配置することが開示されている。無給電素子４２３は、誘電体上に形成された円弧状の給電素子４１０により非接触で給電される。無給電素子４２３と給電素子４１０との間には、誘電体であるダイヤルリング８３が配置されている。
【先行技術文献】
【特許文献】
【０００７】
【特許文献１】特開２００３−３１５４７５号公報
【特許文献２】特許第５８９８７１７号公報
【特許文献３】特許第５８６６８６０号公報
【特許文献４】特開２０１４−１６３６６６号公報
【発明の概要】
【発明が解決しようとする課題】
【０００８】
本願発明者らは、腕時計のような携帯時計の風防に近い個所に、平衡な特性を有するＵＨＦ帯向けのアンテナを配置することを検討している。ここで、受信回路は一般的に不平衡な特性を有する信号を復号するように作られている。そのため、本来の性能を得るためには、平衡な受信信号を不平衡な信号に変換するバラン回路を、アンテナと受信回路との間に設ける必要がある。一方、バラン回路およびアンテナからバラン回路までの配線は、周囲の物体等に起因するノイズが混入しやすく、受信感度が低下しやすかった。
【０００９】
本発明は上記事情を考慮してなされたものであって、その目的は、高感度の電波時計を提供することである。
【課題を解決するための手段】
【００１０】
（１）風防と、前記風防がはめ込まれるケースと、前記ケース内に配置されるムーブメントと、前記ムーブメントと前記風防との間に配置されるアンテナ電極と、前記アンテナ電極と電気的に接続され、アンテナ電極からの信号を不平衡な信号に変換するバラン回路と、複数の誘電体と、を含み、前記バラン回路は、前記ムーブメントと前記風防との間に配置され、前記複数の誘電体の間に配置される、電波時計。
【００１１】
（２）（１）において、前記誘電体のうち１つは前記風防と前記ムーブメントの間に配置される見返しであり、前記バラン回路は前記見返しに覆われる、電波時計。
【００１２】
（３）（１）または（２）において、前記誘電体のうち１つは、前記バラン回路が前記バラン回路に対向する部材と接触することを防ぐ保護領域を含む、電波時計。
【００１３】
（４）（３）において、前記保護領域は、前記誘電体のうち前記１つに設けられた切欠きであり、前記バラン回路は、前記切欠きの内部に配置される、電波時計。
【００１４】
（５）（３）において、前記保護領域は、前記誘電体のうち前記１つの表面のうち前記バラン回路の周囲に設けられた突起部である、電波時計。
【００１５】
（６）（１）から（５）のいずれかにおいて、前記誘電体のうち１つは、前記ムーブメントと前記風防の間に、平面視で前記ケースの内周面に沿って設けられる円環または円弧状の誘電部材である、電波時計。
【００１６】
（７）（６）において、前記誘電部材は円弧状であり、前記誘電体のうち１つは、バラン回路が取り付けられ、前記円弧状の誘電部材の端部の間にはめ込まれるブロックである、電波時計。
【００１７】
（８）（６）において、前記誘電部材は径方向内側に切欠きを有し、前記バラン回路は、前記切欠きの前記径方向内側に配置される、電波時計。
【００１８】
（９）（６）において、前記誘電部材は円弧状であり、前記円弧状の誘電部材の端部の間にはめ込まれる誘電体基板をさらに有し、前記バラン回路は、前記誘電体基板の径方向内側の面に配置される、電波時計。
【００１９】
（１０）（１）から（９）のいずれかにおいて、前記ムーブメントと前記風防の間に設けられる文字板をさらに含み、前記バラン回路は、前記文字板より前記風防に近い、電波時計。
【発明の効果】
【００２０】
本発明によれば、電波時計は、電波を高感度に受信することができる。
【図面の簡単な説明】
【００２１】
【図１】第１の実施形態にかかる衛星電波腕時計の一例を示す平面図である。
【図２】図１に示される衛星電波腕時計のII−II切断線における断面図である。
【図３】アンテナ、バラン回路、受信回路の構成の一例を示すブロック図である。
【図４】バラン回路の配置の一例を概略的に示す斜視図である。
【図５】衛星電波腕時計の他の一例を示す部分断面図である。
【図６】衛星電波腕時計の他の一例を示す部分断面図である。
【図７】衛星電波腕時計の他の一例を示す部分断面図である。
【図８】衛星電波腕時計の他の一例を概略的に示す斜視図である。
【図９】衛星電波腕時計の他の一例を示す部分断面図である。
【図１０】衛星電波腕時計の他の一例を示す部分断面図である。
【図１１】衛星電波腕時計の他の一例を示す部分断面図である。
【図１２】衛星電波腕時計の他の一例を示す部分断面図である。
【図１３】第２の実施形態にかかる衛星電波腕時計の一例を示す部分断面図である。
【図１４】衛星電波腕時計の他の一例を概略的に示す斜視図である。
【図１５】衛星電波腕時計の他の一例を示す部分断面図である。
【図１６】衛星電波腕時計の他の一例を示す部分断面図である。
【図１７】衛星電波腕時計の他の一例を示す部分断面図である。
【図１８】衛星電波腕時計の他の一例を示す部分断面図である。
【図１９】衛星電波腕時計の他の一例を示す部分断面図である。
【図２０】衛星電波腕時計の他の一例を示す部分断面図である。
【図２１】衛星電波腕時計の他の一例を示す部分断面図である。
【図２２】衛星電波腕時計の他の一例を示す部分断面図である。
【図２３】衛星電波腕時計の他の一例を示す部分断面図である。
【図２４】衛星電波腕時計の他の一例を示す部分断面図である。
【図２５】衛星電波腕時計の他の一例を示す部分断面図である。
【図２６】衛星電波腕時計の他の一例を示す部分断面図である。
【図２７】衛星電波腕時計の他の一例を示す部分断面図である。
【図２８】第３の実施形態にかかる衛星電波腕時計の一例を概略的に示す斜視図である。
【図２９】図２８に示されるバランブロックを概略的に示す斜視図である。
【図３０】衛星電波腕時計の他の一例を概略的に示す斜視図である。
【図３１】図３０に示される高誘電部材を概略的に示す斜視図である。
【図３２】図３０に示されるバランブロックを概略的に示す斜視図である。
【図３３】高誘電部材の他の一例を概略的に示す斜視図である。
【図３４】バランブロックの他の一例を概略的に示す斜視図である。
【図３５】高誘電部材およびバランブロックの他の一例を示す部分断面図である。
【図３６】高誘電部材の他の一例を概略的に示す斜視図である。
【図３７】衛星電波腕時計の他の一例を示す平面図である。
【図３８】バラン基板の一例を示す斜視図である。
【図３９】衛星電波腕時計の他の一例を示す平面図である。
【図４０】バラン基板の他の一例を示す斜視図である。
【発明を実施するための形態】
【００２２】
以下、本発明の実施の形態について、図面を参照しながら詳細に説明する。以下では本発明の実施形態にかかる衛星電波腕時計１について説明する。本実施形態に係る衛星電波腕時計１は、時刻情報を含んだ衛星電波を受信し、当該受信された衛星電波に含まれる時刻情報を用いて自身が計時している時刻の修正や測位を行う。
【００２３】
［第１の実施形態］
図１は、第１の実施形態にかかる衛星電波腕時計１の外観の一例を示す平面図であり、図２は、図１に示される衛星電波腕時計１のII−II切断線における断面図である。これらの図に示されるように、衛星電波腕時計１は、風防ガラス３１と、風防ガラス３１を保持するベゼル３２と、円筒状の胴３８と、胴３８の下に設けられる裏蓋３９とを含む。これらは衛星電波腕時計１の外形を構成している。胴３８およびベゼル３２は、風防ガラス３１および裏蓋３９に挟まれている。胴３８、ベゼル３２、裏蓋３９は、衛星電波腕時計１の外装ケースを構成している。以下では、衛星電波腕時計１の中心から風防ガラス３１へ向かう向きを上、裏蓋３９へ向かう向きを下と表記する。
【００２４】
胴３８は金属からなり、上下方向に貫かれる穴を有する。ベゼル３２は胴３８の穴の上部の形状に応じたリング状の部材である。ベゼル３２は、金属またはセラミックスからなる。ベゼル３２はその胴３８の穴の上部にはめ込まれることで胴３８に接続されている。また裏蓋３９は金属からなり胴３８の穴の下部の形状に応じた平面を有し、裏蓋３９はその穴の下部にはめ込まれている。風防ガラス３１は、ベゼル３２の開口の上部の形状に応じた平面形状を有し、ベゼル３２のその開口にはめ込まれている。風防ガラス３１とベゼル３２とはパッキン３３を介して接しており、パッキン３３により風防ガラス３１が固定されている。またベゼル３２と胴３８とはパッキン３７を介して接しており、パッキン３７によりベゼル３２が固定されている。また、耐衝撃性と防水性が劣るものの、パッキン３３の代わりにカシメや接着などでベゼル３２に風防ガラス３１を固定してもよい。
【００２５】
また、衛星電波腕時計１は、目隠し領域６１、アンテナ１０ａ，１０ｂ、リング状の見返しリング３４、高誘電部材３６、文字板５１、時針５２ａ、分針５２ｂ及び秒針５２ｃ、ソーラーセル５３、ムーブメント５９、バラン回路２１を含む。これらは、風防ガラス３１、ベゼル３２、胴３８、裏蓋３９に囲まれた空間に配置されている。ムーブメント５９は、外装ケース内に配置されており、日板５５や、地板５４、回路基板、駆動回路などを含む。
【００２６】
アンテナ１０ａ，１０ｂは、風防ガラス３１の下側（裏側）に、風防ガラス３１の周縁に沿って延びるように配置されている。図１の例では、アンテナ１０ａ，１０ｂのそれぞれは円弧状である。アンテナ１０ａ，１０ｂは衛星から送信される衛星信号を受信する。特に本実施形態では、アンテナ１０ａ，１０ｂはいわゆるダイポールアンテナであり、ＧＰＳ（Ｇｌｏｂａｌ  Ｐｏｓｉｔｉｏｎｉｎｇ  Ｓｙｓｔｅｍ）衛星から送信される周波数約１．６ＧＨｚの電波を受信する。ＧＰＳは、衛星測位システムの一種であって、地球の周囲を周回する複数のＧＰＳ衛星によって実現されている。また、アンテナ１０ａ，１０ｂは準天頂衛星システムを構成する衛星やGLONASSから送信される電波を受信してもよく、Bluetooth（登録商標）規格等に従った約２．４ＧＨｚの電波を送受信してもよい。
【００２７】
アンテナ１０ａ，１０ｂと風防ガラス３１との間には、平面視でリング状の目隠し領域６１が設けられている。目隠し領域６１の下側の面の上にアンテナ１０ａ，１０ｂが接着あるいは蒸着されている。目隠し領域６１は、例えば印刷により形成され、目隠し領域６１により、アンテナ１０ａ，１０ｂが表側から視認されないようになっている。なお、目隠し領域６１は設けられていなくてもよく、アンテナ１０ａ，１０ｂは風防ガラス３１に直接的に接着あるいは蒸着されていてもよい。見返しリング３４および高誘電部材３６は、ムーブメント５９と風防ガラス３１との間にあるリング状の部材であり、ベゼル３２または胴３８の内周面に沿って設けられている。なお、高誘電部材３６は、円弧状の部材であってもよい。
【００２８】
高誘電部材３６は、上面３６ａと、傾斜面３６ｋと、下面３６ｃと、傾斜面３６ｋおよび下面３６ｃをつなぐ面と、外周面３６ｄとを有する。傾斜面３６ｋは、上面３６ａより径方向内側にあり文字板５１に向かう面である。傾斜面３６ｋの周縁側の端は、径方向内側の端よりも文字板５１から離れている。図２の例では、バラン回路２１は高誘電部材３６の上面３６ａの上に設けられており、見返しリング３４は高誘電部材３６およびバラン回路２１を覆っている。また、バラン回路２１は、文字板５１より風防ガラス３１に近い位置に配置されている。
【００２９】
見返しリング３４は、高誘電部材３６の上面３６ａに対向する第１の部分と、高誘電部材３６の傾斜面３６ｋに対向する第２の部分とを有する。見返しリング３４の第１の部分は、下側にある裏側上面３４ａと、上側にある表側上面３４ｃと、を含み、第２の部分は、下側にある裏側傾斜面３４ｋと、上側にある表側傾斜面３４ｄと、を含む。
【００３０】
ここで、見返しリング３４は高誘電材料が混ぜられた樹脂でできており、誘電率は４〜１５程度である。高誘電部材３６は、誘電率が２０以上のセラミックスである。バラン回路２１は、高誘電部材３６と見返し３４との間、言い換えれば２つの誘電体の間に配置されている。
【００３１】
ここで、高誘電部材３６は、アンテナ１０ａ，１０ｂの下に配置されている。これにより、アンテナ１０ａ，１０ｂが受信する電波の波長を短縮し、小さいアンテナ１０ａ，１０ｂで必要な電波を受信できるようになる。図２の例では高誘電部材３６は環状であるが、例えばアンテナ１０ａ，１０ｂの下だけに存在するように弧状になっていてもよい。
【００３２】
文字板５１はムーブメント５９と風防ガラス３１との間に設けられており、特に図２の例では見返しリング３４および高誘電部材３６とムーブメント５９との間に設けられている。ソーラーセル５３は文字板５１の下側（裏側）に設けられている。図２の例では、地板５４は文字板５１の直下にも設けられている。
【００３３】
図３は、アンテナ１０ａ，１０ｂ、バラン回路２１、受信回路２２の構成の一例を示すブロック図である。アンテナ１０ａ，１０ｂは、それぞれ導電ピン４１および接続配線２０を介してバラン回路２１に電気的に接続されている。またバラン回路２１は、接続配線４４を介して受信回路２２に接続されている。バラン回路２１は、アンテナ１０ａ，１０ｂからの平衡な受信信号を不平衡な信号に変換する。バラン回路２１は、アンテナ１０ａ，１０ｂ側のコイル２１ａと、受信回路２２側のコイル２１ｂとを含む。アンテナ１０ａは、コイル２１ａの一端に電気的に接続され、アンテナ１０ｂは、コイル２１ｂの他端に電気的に接続されている。コイル２１ｂの一端は接続配線４４に接続されており、コイル２１ｂの他端は回路の接地電位ＧＮＤを供給する配線に接続されている。コイル２１ａ，２１ｂにより、平衡な受信信号が不平衡な信号に変換される。
【００３４】
受信回路２２はアンテナ１０ａ，１０ｂが受信した信号を復号し、復号の結果得られる衛星信号の内容を示すビット列（受信データ）を出力する。より具体的には、受信回路２２は高周波回路（ＲＦ回路）及びデコード回路を含んでいる。高周波回路は、高周波数で動作し、アンテナ１０ａ，１０ｂが受信したアナログ信号に対して増幅、検波を行って、ベースバンド信号に変換する。デコード回路は、高周波回路が出力するベースバンド信号を復号してＧＰＳ衛星から受信したデータの内容を示すビット列を生成し出力する。
【００３５】
ＧＰＳの受信信号などの高周波を扱う回路は、周囲の金属などの影響により受信感度が低下しやすい。特に、アンテナ１０ａ，１０ｂ、導電ピン４１、接続配線２０、バラン回路２１は、周囲の金属などの影響をより受けやすく、受信感度が低下しやすい。一方、受信信号を扱う配線や回路と金属などの物体との間に誘電体を配置すると、その金属などの受信感度への影響を軽減することができる。本実施形態では、図２に示されるようにバラン回路２１を誘電体で挟むことにより、受信感度を向上させることができる。また、バラン回路２１をムーブメント５９より上側に配置することにより、アンテナ１０ａ，１０ｂからバラン回路２１への配線を短くすることができ、外部の物体に起因するノイズを減少させ、受信感度を向上させることができる。
【００３６】
ここで、ムーブメント５９は、図示しない制御回路と駆動機構とを含む。制御回路は、受信回路２２から取得されたビット列を取得し、衛星電波腕時計１に含まれる各種回路や駆動機構を制御する。駆動機構は、ステップモータであるモーターと、輪列と、を含んで構成される。モーターの回転を輪列が伝達することによって、例えば時針５２ａ、分針５２ｂ、及び秒針５２ｃのうちいずれかを回転させる。これにより現在時刻が表示される。
【００３７】
図４は、バラン回路２１の配置の一例を概略的に示す斜視図である。図４では、高誘電部材３６の上面に、バラン回路２１と、接続電極４２と、接続配線２０とが配置されている。接続電極４２の上には導電ピン４１が配置されており、接続電極４２と導電ピン４１とは導通している。接続電極４２とバラン回路２１とは、接続配線２０により電気的に接続されている。またバラン回路２１の配線は、接続配線４４により図示しない受信回路２２と電気的に接続されている。また、接続配線２０のそれぞれの中間部２４には、インピーダンスマッチングのためにマッチング素子が配置されてもよい。
【００３８】
図４によると、アンテナ１０ａに向かう接続配線２０と、アンテナ１０ｂに向かう接続配線２０の長さが異なっている。これにより、平面視で、バラン回路２１と、アンテナ１０ａ，１０ｂへの接続電極４２とが衛星電波腕時計１の中心からみた回転方向に並んで配置されている。このため高誘電部材３６の上面３６ａの幅が狭くても、これらを配置することが可能である。
【００３９】
導電ピン４１はいわゆるプローブピンである。２本の導電ピン４１はアンテナ１０ａ，１０ｂと１対１で対応しており、アンテナ１０ａ，１０ｂのそれぞれは、対応する導電ピン４１によりバラン回路２１と電気的に接続されている。導電ピン４１の少なくとも一方の端はスプリングにより伸縮し、２本の導電ピン４１の上端はアンテナ１０ａ，１０ｂに接触し、その下端はそれぞれ接続電極４２に接触している。導電ピン４１は、見返しリング３４等により、平面視における位置を固定されており、また２本の導電ピン４１は互いに平行に配置されている。図２の例では、導電ピン４１は見返しリング３４を上下方向に貫通する穴の中に固定されている。アンテナ１０ａ，１０ｂからみて、導電ピン４１は、風防ガラス３１から遠ざかる方向に延びている。
【００４０】
ここで、導電ピン４１を用いずに、突起を有する接続電極４２をアンテナ１０ａ，１０ｂに接触させることでアンテナ１０ａ，１０ｂとバラン回路２１とを電気的に接続してもよい。また、導電ピン４１の代わりにばね材を用いてアンテナ１０ａ，１０ｂとバラン回路２１とを電気的に接続してもよい。導電ピン４１の代わりに突起を有する接続電極４２やばね材を用いることで、アンテナ１０ａ，１０ｂと接続電極４２との間隔がより小さくても接続することが可能になる。
【００４１】
ここで、バラン回路２１は、必ずしも高誘電部材３６の上面３６ａに配置されていなくてもよい。図５は、衛星電波腕時計１の他の一例を示す部分断面図である。図５の例では、ベゼル３２や胴３８、文字板５１等の記載は省略している。図５の例では、図２の例とは異なり、バラン回路２１は高誘電部材３６の傾斜面３６ｋの上に配置されており、高誘電部材３６と見返しリング３４との間に配置されている。
【００４２】
図６は、衛星電波腕時計１の他の一例を示す部分断面図であり、図５に対応する図である。図６の例では、バラン回路２１は、見返しリング３４の裏側上面３４ａに配置されており、高誘電部材３６の上面３６ａに対向している。
【００４３】
図７は、衛星電波腕時計１の他の一例を示す部分断面図であり、図５に対応する図である。図７の例では、バラン回路２１は、見返しリング３４の裏側傾斜面３４ｋに配置されており、高誘電部材３６の傾斜面３６ｋに対向している。
【００４４】
また、アンテナ１０ａ，１０ｂは必ずしも風防ガラス３１の裏側の面に配置されなくてもよい。図８は、衛星電波腕時計１の他の一例を概略的に示す斜視図である。図８の例では、アンテナ１０ａ，１０ｂは高誘電部材３６の上面３６ａに配置され、バラン回路２１とアンテナ１０ａ，１０ｂとは、高誘電部材３６の上面３６ａ上の接続配線２０により導通している。
【００４５】
また、バラン回路２１は、必ずしも高誘電部材３６と見返しリング３４との間に配置されなくてもよい。図９は、衛星電波腕時計１の他の一例を示す部分断面図であり、図５に対応する図である。図９の例では、バラン回路２１は上面３６ａに配置されているものの、見返しリング３４はバラン回路２１の上を覆っていない。しかしバラン回路２１は、高誘電部材３６と風防ガラス３１との間に配置されている。ここで、風防ガラス３１の誘電率は５〜１０程度であり、誘電体ともいえる。図９の例においてもバラン回路２１は誘電体に挟まれているので、他の例ほどではないがまわりの金属等の影響を低減し、受信感度が向上する効果を得ることができる。
【００４６】
図１０は、衛星電波腕時計１の他の一例を示す部分断面図であり、図９に対応する図である。図１０には、文字板５１およびムーブメント５９も記載されている。バラン回路２１は、高誘電部材３６の下面３６ｃに配置されており、高誘電部材３６と文字板５１との間に配置されている。ここで、文字板５１はたとえば高誘電体を含む樹脂でできており、誘電率は４〜１５程度である。図１０の例においても、バラン回路２１は高誘電体に挟まれているので、受信感度が向上する効果を得ることができる。また、ムーブメント５９のうちバラン回路２１と対向する部分に誘電率の高い（誘電率は４〜１５程度）樹脂でできた地板５４が配置され、バラン回路２１が地板５４と高誘電部材３６とに挟まれてもよい。
【００４７】
図１１は、衛星電波腕時計１の他の一例を示す部分断面図であり、図１０に対応する図である。バラン回路２１は、高誘電部材３６の外周面３６ｄに配置されている。図１０の例では、バラン回路２１は、上下にある高誘電体である、見返しリング３４と文字板５１とに挟まれている。
【００４８】
図１２は、衛星電波腕時計１の他の一例を示す部分断面図であり、図１１に対応する図である。図１２の例では、外装ケースの一部であるベゼル３２が記載されている。図１２の例ではベゼル３２はセラミックスであり、誘電率は２０以上である。図１２の例でもバラン回路２１は、高誘電部材３６の外周面３６ｄに配置されている。また、バラン回路２１は、高誘電体であるベゼル３２と高誘電部材３６とに挟まれている。
【００４９】
［第２の実施形態］
次に、本発明の第２の実施形態にかかる衛星電波腕時計１について説明する。第２の実施形態においては、高誘電部材３６や見返しリング３４等の誘電体は、バラン回路２１がバラン回路２１に対向する部材と接触することを防ぐための保護部を有している。保護部は例えば切欠きや突起部である。以下では、主に第１の実施形態と第２の実施形態との相違点を説明し、共通点については説明を省略する。
【００５０】
図１３は、第２の実施形態にかかる衛星電波腕時計１の一例を示す部分断面図である。図１３では、図５のように、外装ケースや文字板５１、ムーブメント５９は記載されていないが実際には存在する。
【００５１】
図１３の例では、高誘電部材３６の上面３６ａには切欠き７１ａが設けられており、バラン回路２１は、切欠き７１ａの底に配置されている。また、バラン回路２１の上面は、切欠き７１ａの側面の上端より低い。これにより、衝撃等により高誘電部材３６と見返しリング３４とが接触しても、バラン回路２１に見返しリング３４が接触することを防ぐことができる。なお、バラン回路２１は、高誘電部材３６と見返しリング３４との間に配置され、高誘電体である切欠き７１ａの向かい合う側壁に挟まれている。
【００５２】
図１４は、衛星電波腕時計１の他の一例を概略的に示す斜視図であり、特に高誘電部材３６の構成を示す図である。本図の例では、図１３の例と異なり、高誘電部材３６の切欠き７１ｂは、Ｕ字状であり、傾斜面３６ｋおよび外周面３６ｄの一部も切り欠かれている。図１４の例では、アンテナ１０ａ，１０ｂと電気的に接続するための接続電極４２は上面３６ａに設けられ、切欠き７１ｂの底に配置されるバラン回路２１と接続電極４２とは、上面および切欠き７１ｂの側壁とに設けられる接続配線２０により電気的に接続されている。
【００５３】
図１５は、衛星電波腕時計１の他の一例を示す部分断面図であり、図７に対応する図である。図１５の例では、高誘電部材３６の傾斜面３６ｋに切欠き７１ｋが設けられており、切欠き７１ｋの底にバラン回路２１が設けられている。図１５の例でもバラン回路２１の上面は傾斜面３６ｋから外側には出ておらず、衝撃等によりバラン回路２１と見返しリング３４とが衝突することはない。なお、高誘電部材３６の外周面３６ｄに切欠きが設けられ、その切欠きの中にバラン回路２１が設けられてもよい。
【００５４】
図１６は、衛星電波腕時計１の他の一例を示す部分断面図であり、図９に対応する図である。図１６では、文字板５１およびムーブメント５９も記載されている。図１６の例では、高誘電部材３６の下面３６ｃに切欠き７１ｃが設けられており、切欠き７１ｃの上端にバラン回路２１が設けられている。図１６の例において、バラン回路２１の下面は高誘電部材３６の下面３６ｃから外側には出ておらず、衝撃等によりバラン回路２１と文字板５１とが衝突することはない。
【００５５】
図１７は、衛星電波腕時計１の他の一例を示す部分断面図であり、図１３に対応する図である。図１７の例は、図１３の例と同じく高誘電部材３６の上面３６ａに切欠き７１ａが設けられているが、バラン回路２１は切欠き７１ａの底ではなく、切欠き７１ａに対向する見返しリング３４の裏側上面３４ａに設けられている。図１７の例においてはバラン回路２１の寸法は切欠き７１ａより小さく、衝撃等によりバラン回路２１と高誘電部材３６とが衝突することはない。
【００５６】
図１８は、衛星電波腕時計１の他の一例を示す部分断面図であり、図１７に対応する図である。図１８の例は図１７の例と異なり、見返しリング３４の裏側上面３４ａに切欠き７２ａが設けられ、バラン回路２１は、高誘電部材３６の上面３６ａのうち切欠き７２ａに対向する領域に設けられている。図１８の例においてもバラン回路２１の寸法は切欠き７２ａより小さく、衝撃等によりバラン回路２１と見返しリング３４とが衝突することはない。なお、図１８の例において、バラン回路２１が見返しリング３４の切欠き７２ａの上面に設けられてもよい。
【００５７】
図１９は、衛星電波腕時計１の他の一例を示す部分断面図であり、図１０に対応する図である。図１９の例では、文字板５１は高誘電部材３６の下面３６ｃに対向している。高誘電部材３６の下面３６ｃにはバラン回路２１が設けられており、文字板５１のうちバラン回路２１と対向する部分には、文字板５１を貫通する切欠き７３が設けられている。切欠き７３により、バラン回路２１と文字板５１とが衝突する可能性を軽減することができる。
【００５８】
図２０は、衛星電波腕時計１の他の一例を示す部分断面図であり、図１９に対応する図である。図２０の例では、図１９の例とは異なり、文字板５１が高誘電部材３６の径方向内側に存在し、高誘電部材３６の下面３６ｃに対向していない。図２０の例では、高誘電部材３６の下面３６ｃは、ムーブメント５９に対向している。バラン回路２１は、高誘電部材３６の下面３６ｃに設けられており、ムーブメント５９のうちバラン回路２１に対向する部分には、切欠き７４が設けられている。バラン回路２１の寸法は切欠き７４より小さく、衝撃等によりバラン回路２１とムーブメント５９とが衝突することはない。また、ムーブメント５９のうちバラン回路２１と対向する部分には誘電率の高い樹脂（誘電率４〜１５程度）でできた地板５４が配置され、バラン回路２１が地板５４と高誘電部材３６とに挟まれている。
【００５９】
次に、切欠きの代わりに突起部を用いた例について説明する。図２１は、衛星電波腕時計１の他の一例を示す部分断面図であり、図１３に対応する図である。図２１の例では、高誘電部材３６の上面３６ａにバラン回路２１が配置されており、バラン回路２１の周りにバラン回路２１の上面より高い位置まで延びる複数の突起部７６が配置されている。突起部７６の数は例えば２から４である。これにより、衛星電波腕時計１に衝撃が加えられてもバラン回路２１と見返しリング３４とが衝突することを防ぐことができる。
【００６０】
図２２は、衛星電波腕時計１の他の一例を示す部分断面図であり、図２１に対応する図である。図２２の例では、見返しリング３４の裏側上面３４ａかつ平面視でバラン回路２１の周りに突起部７７が設けられており、突起部７７の長さはバラン回路２１の厚みより大きい。これにより、バラン回路２１と見返しリング３４との衝突を防ぐことができる。
【００６１】
図２３は、衛星電波腕時計１の他の一例を示す部分断面図であり、図１９に対応する図である。図２３の例は図１９の例と異なり、切欠き７３の代わりに、文字板５１上かつ平面視でバラン回路２１のまわりに突起部７８が設けられている。これにより、バラン回路２１と文字板５１との衝突を防ぐことができる。
【００６２】
図２４は、衛星電波腕時計１の他の一例を示す部分断面図であり、図２０に対応する図である。図２４の例は、図２０の例と異なり、切欠き７４の代わりに、ムーブメント５９上かつ平面視でバラン回路２１のまわりに突起部７８ｂが設けられている。これにより、バラン回路２１とムーブメント５９との衝突を防ぐことができる。
【００６３】
バラン回路２１は、見返しリング３４と風防ガラス３１との間に配置されてもよい。図２５は、衛星電波腕時計１の他の一例を示す部分断面図であり、図１３に対応する図である。図２５の例では、見返しリング３４の表側上面３４ｃに切欠き７２ｂが設けられており、バラン回路２１は風防ガラス３１の裏側の面のうち切欠き７２ｂに対向する領域に設けられている。バラン回路２１の寸法は切欠き７２ｂより小さく、衝撃等によりバラン回路２１と見返しリング３４とが衝突することはない。図２５の例では、バラン回路２１は、高誘電体である見返しリング３４の側壁に挟まれている。
【００６４】
図２６は、衛星電波腕時計１の他の一例を示す部分断面図であり、図２５に対応する図である。図２６の例では、図２５の例と異なり、見返しリング３４の表側上面３４ｃに切欠き７２ｃが設けられており、バラン回路２１は、切欠き７２ｃの底に設けられている。またバラン回路２１に対向するようにアンテナ１０ａが設けられている。
【００６５】
高誘電部材３６の断面形状がＬ字型であってもよい。図２７は、衛星電波腕時計１の他の一例を示す部分断面図であり、図１３に対応する図である。図２７の例では、高誘電部材３６は、図示しないケースの内周面に沿って延び、その断面形状が上下方向に延びる矩形である立上部３６ｉと、第１の部分の下端から径方向内側に延びるフランジ部３６ｊとを有する。バラン回路２１は、フランジ部３６ｊの上面に設けられている。図２７の例では、他の例に比べてバラン回路２１を配置する箇所が下側になる。平面視で見返しリング３４の上面の幅Ｗ１より、下端における見返しリング３４の幅の方が大きい。このため、バラン回路２１を配置するスペースをより広くすることができる。
【００６６】
［第３の実施形態］
次に、本発明の第３の実施形態にかかる衛星電波腕時計１について説明する。第３の実施形態においては、高誘電部材３６は主に円弧状であり、バランブロック８１またはバラン基板４３が高誘電部材３６の端部の間にはめ込まれている。以下では、主に第１の実施形態と第２の実施形態との相違点を説明し、共通点については説明を省略する。
【００６７】
図２８は、第３の実施形態にかかる衛星電波腕時計１の一例を概略的に示す斜視図である。図２９は、図２８に示されるバランブロック８１を概略的に示す斜視図である。図２８は、第１の実施形態における図１４に示される高誘電部材３６に似ているが、図２８の例ではバランブロック８１と高誘電部材３６とは分離されている。バランブロック８１は、高誘電部材３６の端部と端部との間にはめ込まれている。バランブロック８１の上面には、バラン回路２１と、導電ピン４１に接続するための接続電極４２と、接続電極４２とバラン回路２１とを接続する接続配線２０と、バラン回路２１と受信回路２２とを電気的に接続ずるための接続配線４４とが配置されている。接続配線４４は、バランブロック８１の径方向内側の側面を経て高誘電部材３６の下面３６ｃまで延びている。バランブロック８１は高誘電部材３６と同様にセラミックス等の高誘電率の素材により形成されている。
【００６８】
図２８、図２９の例では、バラン回路２１等の回路を平面視でほぼ矩形のバランブロック８１の上に形成すればよいので、製造が容易になる。
【００６９】
図３０は、衛星電波腕時計１の他の一例を概略的に示す斜視図である。図３０の例では、図２８，２９の例と異なり、導電ピン４１がない代わりに、アンテナ１０ａ，１０ｂは高誘電部材３６の上面３６ａの上に設けられている。バランブロック８１の上面の接続配線２０と、アンテナ１０ａ，１０ｂとは、ハンダ８３により接続されている。
【００７０】
図３１は、図３０に示される高誘電部材３６を概略的に示す斜視図であり、図３２は、図３０に示されるバランブロック８１を概略的に示す斜視図である。高誘電部材３６は円環のうち一部（切欠き７９ａ）が切り欠かれており、弧状である。アンテナ１０ａ，１０ｂのそれぞれは、切欠き７９ａに隣接する端部から高誘電部材３６の上面３６ａの上を弧状に延びている。また、アンテナ１０ａ，１０ｂは、端部の側面を上面３６ａから下面３６ｃに向かって延びている。バランブロック８１は、切欠き７９ａにあわせた形状をしており、上面は高誘電部材３６の上面３６ａより低くなっている。また、傾斜面３６ｋに応じた傾斜面を有する。バランブロック８１の上面には、バラン回路２１が配置され、接続配線２０は、バラン回路２１から上面を経て、高誘電部材３６の端部の側面に対向する側面まで延びている。接続配線２０とアンテナ１０ａ，１０ｂとは、側面で物理的に接触することで導通している。図３１の例では、さらにハンダ８３により接続配線２０とアンテナ１０ａ，１０ｂとをより確実に導通させている。
【００７１】
高誘電部材３６にバランブロック８１を下から支える支持部３６ｓを形成してもよい。図３３は、高誘電部材３６の他の一例を概略的に示す斜視図であり、図３４は、バランブロック８１の他の一例を概略的に示す斜視図である。また、図３５は、高誘電部材３６およびバランブロック８１の他の一例を示す部分断面図である。
【００７２】
図３３から３５の例では、高誘電部材３６は、円環のうち切欠き７９ｂが切り欠かれており、弧状である。また、高誘電部材３６の端部は、上面３６ａから下方向に延びる第１の側面と、その側面の下端から他の端部に向けて延びる支持部３６ｓとを有する。支持部３６ｓの上面は第１の側面と接続しており、支持部３６ｓの下面は下面３６ｃとつながっている。支持部３６ｓの上面と下面は、第２の側面を介して接続している。アンテナ１０ａ，１０ｂは、高誘電部材３６の上面３６ａの端から延びる弧状の配線を含み、またアンテナ１０ａ，１０ｂは、第１の側面を経て支持部３６ｓの上面まで延びている。
【００７３】
図３４に示されるバランブロック８１は、図３４の上側の面が支持部３６ｓに接触する下面である。バランブロック８１の下面のうち、支持部３６ｓと接触しない中央の領域にはバラン回路２１と、バラン回路２１に接続される接続配線４４とが設けられる。またバランブロック８１の下面には、バラン回路２１から支持部３６ｓ上のアンテナ１０ａ，１０ｂに対向する領域まで接続配線２０が延びている。
【００７４】
図３５に示されるように、図３４に示されるバランブロック８１は、上下反転されて高誘電部材３６にはめ込まれる。また、バランブロック８１と見返しリング３４との間には弾性部材８４が設けられ、見返しリング３４からムーブメント５９に向かう力により常にアンテナ１０ａ，１０ｂと接続配線２０とが接触する。
【００７５】
図３６は、高誘電部材３６の他の一例を概略的に示す斜視図であり、図３３に対応する図である。図３６の例では、図３３の例と異なり、切欠き７９ｃは高誘電部材３６の外周面３６ｄから径方向内側に延びているが、平面視で切欠き７９ｃは傾斜面３６ｋまでは達していない。高誘電部材３６は環状になっている。
【００７６】
また、高誘電部材３６の径方向内側に切欠き７１ｆを設け、切欠き７１ｆの径方向内側の面に沿ってバラン回路２１を配置してもよい。図３７は、衛星電波腕時計１の他の一例を示す平面図であり、高誘電部材３６の下端より少し上の位置で衛星電波腕時計１を切断した形状を示す図である。図３７には、高誘電部材３６、見返しリング３４、バラン基板４３、バラン回路２１が示されている。高誘電部材３６の径方向内側には切欠き７１ｆが設けられており、バラン基板４３は、切欠き７１ｆの径方向内側の面に対向している。バラン回路２１は切欠き７１ｆの径方向内側の面と見返しリング３４との間に配置される。ここで、見返しリング３４は高誘電体３６を覆うように配置されてもよい。また、アンテナ電極１０ａ，１０ｂが風防ガラス３１の裏側の面に配置される場合は、見返しリング３４の一部分が切り欠かれてもよい。この切り欠かれる部分は、アンテナ電極１０ａ，１０ｂと接続電極４２との間にあり、かつこれらの電気的接続に必要な部分のみであってよい。一方、アンテナ１０ａ，１０ｂが高誘電体３６の表面にある場合は、見返しリング３４は高誘電体３６のうち外周側の面や文字板５１側の面を除く全ての面を覆ってもよい。
【００７７】
図３８は、バラン基板４３の一例を示す斜視図である。バラン基板４３の径方向内側の面（図３８の上側の面）には、バラン回路２１が配置されている。バラン回路２１は、
また、径方向内側の面には、バラン回路２１から下方向に延びる接続配線４４と、上側に延びる接続配線２０とが配置されている。接続配線２０はアンテナ１０ａ，１０ｂに電気的に接続される。図３７および図３８に示される例では、バラン回路２１の位置を容易にアンテナ１０ａ，１０ｂに近づけることができ、ノイズの影響を低減できる。
【００７８】
図３９は、衛星電波腕時計１の他の一例を示す平面図であり、図３７に対応する図である。図３９の例では、図３７の例とは異なり、高誘電部材３６は円環のうち切欠き７９ｄが切り欠かれた形状を有し、弧状である。図３９の例では、バラン基板４３は高誘電部材３６と同様にセラミックス等の高誘電率の素材により形成されており、高誘電部材３６の端部の間にはめ込まれている。バラン基板４３は板状であり、ケースの内周面に対向している。バラン回路２１は、バラン基板４３の径方向内側の面に配置されている。図３９の例においても、図３７の例と同様に、見返しリング３４は高誘電体３６を覆うように配置されてよい。見返しリング３４の一部分が切り欠かれてもよいし、見返しリング３４は高誘電体３６のうち外周側の面や文字板５１側の面を除く全ての面を覆ってもよい。
【００７９】
なお、受信回路２２をバラン基板４３やバランブロック８１に配置してもよい。図４０は、バラン基板４３の他の一例を示す斜視図である。図４０の例では、バラン基板４３の径方向内側の面（図４０の上側の面）のうち風防ガラス３１に近い側にバラン回路２１が設けられ、ムーブメント５９に近い側に受信回路２２が設けられている。受信回路２２とバラン回路２１とは接続配線４４により電気的に接続され、バラン回路２１からバラン回路２１の上側の面に向かって接続配線２０が延びている。受信回路２２には、さらに、制御回路と電気的に接続される信号線４６と、電源電圧が供給される電源線４７と、接地電位が供給される配線４８とが接続されている。受信回路２２をムーブメント５９より上側に配置することが可能になり、衛星電波腕時計１をより小型化することが可能になる。ここで、受信回路２２は、アンプ、フィルタ、データ処理部などで構成される。アンプはいわゆるＬＮＡ（ローノイズアンプ）などであり、バラン回路２１からの接続配線４４に接続されている。アンプから出力された信号は配線を介してフィルタに入力される。データ処理部は制御ＩＣ（集積回路）やＴＣＸＯやフラッシュメモリ等で構成されており、フィルタの出力と電気的に接続されている。なお、バラン基板４３やバランブロック８１には、受信回路２２に含まれるアンプ、フィルタ、データ処理部などのうち全部が配置されてもよいし、それらのうち一部が配置されてもよい。例えば、アンプのみがバラン基板４３やバランブロック８１に配置されてもよい。また、これまでに説明したものと異なる回路がバラン基板４３やバランブロック８１に配置されてもよい。
【００８０】
これまでに、衛星電波腕時計１に本発明を適用した場合について説明したが、本発明は例えば腕時計と異なる携帯用の小型の時計にも適用できる。
【符号の説明】
【００８１】
１  衛星電波腕時計、１０ａ，１０ｂ  アンテナ、２０，４４  接続配線、２１  バラン回路、２１ａ，２１ｂ  コイル、２２  受信回路、２４  中間部、３１  風防ガラス、３２  ベゼル、３３，３７  パッキン、３４  見返しリング、３４ａ  裏側上面、３４ｋ  裏側傾斜面、３４ｃ  表側上面、３４ｄ  表側傾斜面、３６  高誘電部材、３６ａ  上面、３６ｋ  傾斜面、３６ｃ  下面、３６ｄ  外周面、３６ｉ  立上部、３６ｊ  フランジ部、３６ｓ  支持部、３８  胴、３９  裏蓋、４１  導電ピン、４２  接続電極、４３  バラン基板、４６  信号線、４７  電源線、４８  配線、５１  文字板、５２ａ  時針、５２ｂ  分針、５２ｃ  秒針、５３  ソーラーセル、５４  地板、５５  日板、５９  ムーブメント、６１  目隠し領域、７１ａ，７１ｂ，７１ｋ，７１ｃ，７１ｆ，７２ａ，７２ｂ，７２ｃ，７３，７４，７９ａ，７９ｂ，７９ｃ，７９ｄ  切欠き、７６、７７、７８，７８ｂ  突起部、８１  バランブロック、８３  ハンダ、８４  弾性部材。
【図１】
2018109533.tif 000003
【図２】
2018109533.tif 000004
【図３】
2018109533.tif 000005
【図４】
2018109533.tif 000006
【図５】
2018109533.tif 000007
【図６】
2018109533.tif 000008
【図７】
2018109533.tif 000009
【図８】
2018109533.tif 000010
【図９】
2018109533.tif 000011
【図１０】
2018109533.tif 000012
【図１１】
2018109533.tif 000013
【図１２】
2018109533.tif 000014
【図１３】
2018109533.tif 000015
【図１４】
2018109533.tif 000016
【図１５】
2018109533.tif 000017
【図１６】
2018109533.tif 000018
【図１７】
2018109533.tif 000019
【図１８】
2018109533.tif 000020
【図１９】
2018109533.tif 000021
【図２０】
2018109533.tif 000022
【図２１】
2018109533.tif 000023
【図２２】
2018109533.tif 000024
【図２３】
2018109533.tif 000025
【図２４】
2018109533.tif 000026
【図２５】
2018109533.tif 000027
【図２６】
2018109533.tif 000028
【図２７】
2018109533.tif 000029
【図２８】
2018109533.tif 000030
【図２９】
2018109533.tif 000031
【図３０】
2018109533.tif 000032
【図３１】
2018109533.tif 000033
【図３２】
2018109533.tif 000034
【図３３】
2018109533.tif 000035
【図３４】
2018109533.tif 000036
【図３５】
2018109533.tif 000037
【図３６】
2018109533.tif 000038
【図３７】
2018109533.tif 000039
【図３８】
2018109533.tif 000040
【図３９】
2018109533.tif 000041
【図４０】
2018109533.tif 000042